(57)【要約】【課題】  廃棄物は袋に入れ廃棄されているが、内容物を入れる際空気も一緒に入り袋が膨らむ為、容積が増え処分費が上がり、また埋め立て型最終処分場の寿命も短くする結果となり良好な廃棄物処理の観点から減容化が望まれている。【解決手段】    以上の課題を解決する為に、本発明により提供される、袋に予め直接加工したテープを貼り付けておくか、又は、袋にテープの端を取り付け、テープの糊の接着部は、接着部分を合わせるなどして取り扱いやすく加工をしておき、袋を押すことにより袋の中の空気を押し出し、容積を減らすことにより発生する袋の余った部分を折り曲げ、接着部分を合わせてあるテープ、又は直接貼り付けてあるテープを引き剥がしやすい様に加工されたテープの耳の部分を引くことにより、テープの接着部分がただちに現れ、任意の位置にテープを接着し、減容した袋が再び膨らまないようにする減容機能を持った袋。【選択図】図３
2008120448.tif 000002
【特許請求の範囲】
【請求項１】
廃棄物処理用袋が膨らみ、廃棄物の処理容積が大幅に増加したまま廃棄処分されることを防ぐ為、袋内に入り膨らんでいる空気を押し出した後、袋に予め直接加工したテープを貼り付けておくか、又は、袋に予めテープの端を取り付け、テープの接着部は、接着部分を合わせるなどして取り扱いやすく加工をしておき、袋を押すことにより袋の中の空気を押し出し、容積を減らすことにより発生する袋の余った部分を折り曲げ、接着部分を合わせてあるテープを引き剥がしやすい様に加工されたテープの耳の部分を引くことにより、テープの接着部分がただちに現れ、任意の位置にテープを接着し、減容した袋が再び膨らまないようにする減容機能を持った袋。
【発明の詳細な説明】
【技術分野】
【０００１】本発明は、袋に廃棄物を入れ、廃棄される袋の中から空気だけを押し出し、袋の容積を減容した状態を保持させることが出来る機能を持つ袋の方法に関する。
【背景技術】
【０００２】今までの廃棄物用の袋は、廃棄物の飛散防止の観点から、袋を破れ難くする為、素材は厚く硬い素材が多く袋の内部に間隙が出来やすく、廃棄物と一緒に多くの空気を内包したまま収集運搬し、埋め立てるなどの処分をしている。
【発明の開示】
【発明が解決しようとする課題】
【０００３】  しかしながら、今までの技術によれば、密度が少なく軽い廃棄物、例えば袋詰された廃吹き付けアスベストなどは、密度が０、１５ほどしかなく、８割以上の空気を詰め込んだ状態で埋め立て処分をしており、埋め立て処分場の確保や、廃棄費用の軽減など減容化が社会問題となっており廃棄物の減容化が求められている。【０００４】  また、減容化の機能性を持つ袋関する特許文献は特許出願２００４−１５２８７０や特許出願２００４−２５４３５があるが目的や手段や方法が異なる。
【課題を解決するための手段】
【０００５】  以上の課題を解決する為に第一発明によれば、本発明により提供される袋に予めテープの接着部を合わせ、袋に取り付けてあるテープを、袋を押し空気を押し出す事により、発生する袋の余った部分を折り曲げ、テープを引き剥がしやすい様に加工されたテープの耳を引くことにより、テープの接着部分がただちに現れ、任意の位置にテープを接着し、減容した袋が再び膨らまないようにする減容機能を持った袋。
【発明の効果】
【０００６】  以上のように本発明によれば袋に専用のテープを予め袋に取り付け、内容物をいれた後に空気だけを押し出し、テープで袋の余った部分を折り曲げ貼り付け固定することにより、袋が減容した後に袋が膨らみ、復元することがなく、袋の容積を減らし廃棄が出来る。
【発明を実施するための最良の形態】
【０００７】以下最良の実施形態を図面に基づき説明する。なお、以下に説明する機能配置等は本発明を限定するものではなく、本発明の趣旨の範囲内で改変することが出来るものである。【０００８】本明細書中で減容とは袋の中に入って処理されようとする容積を減らすことである。【０００９】  また、減容機能とは予め袋に付けられているテープを用い、空気を押し出し余った袋の部分を任意に折り曲げ、テープで貼り付けることにより袋の容積を減らす手段を指す。【００１０】  本実施形態の空気を押し出す動力は人力又は動力を用いる。
【実施例】
【００１１】  減容用のテープは図１の袋の底部、左右に２箇所ずつ、計４個を予め取り付けてある。【００１２】  減容用袋は図２の様に廃棄物が入れられると膨らみ、テープが底部になる状態になる。【００１３】  図３のように袋に廃棄物が入り膨らみ、袋のくちを内容物が出ない程度に縛り、袋を押し空気を押し出すと、予めテープが取り付けてある底辺の角が大きく余るので折り曲げ、テープの耳を上部に引き上げ、テープの接着糊の部分を現し、袋の余った部分を折り曲げ貼り付けることにより、容積が減った袋が復元することを防ぐことが出来る。【００１４】  図３の符号４のように、底部に取り付けてあるテープは接着面の糊の両面を合わせた状態で袋に取り付けられているので、任意の容積まで空気を押し出した後、テープを使用し袋の余った部分を接着する際は、符号３の耳の部分を引くだけで、テープの接着糊のあわせ面が引き剥がされ、ただちにテープの接着面が現れ、余った部分を容易に貼り付けることが出来る。
また、引き剥がす際に引き剥がしやすい様に加工された、符号３の耳の部分は左２本、右２本のテープを耳の部分を繋ぎ、又は結び、一度に２本のテープの接着部分が引きはがせる様にしても良い。
さらに、テープの接着面については接着面を合わせるのではなく、予め袋に直接加工したテープを貼り付けておき、使用する際に袋から剥がして使用する方法も良い。【００１５】  図４のように、空気を押し出し容積が減った後、袋の底部に取り付けられたテープの接着部分を引き伸ばし、余っている袋の部分を折り曲げ接着することにより、袋が膨らむことはなくなり容易に減容ができる。【００１６】    図には示さないが、上記操作により接着する角度や、接着する長さ、テープの幅、テープを予め取り付ける位置は変えることが出来る。
また、加工したテープを袋に予め貼り付けておき、空気を押し出し、減容を保持する際に、袋に貼り付けてあるテープを剥がし、再度余った部分に貼り付ける方法も良い。
【産業上の利用可能性】
【００１７】    袋に廃棄物を入れ処分を行うが、袋に廃棄物を入れる際空気も入り膨れた状態のまま袋を閉じ処分されている。この為、廃棄物中の空気の割合は非常に高く、吹き付け材などは密度が低く８割以上が空気をいれた状態で埋め立て処分がなされている。この為処分経費が高く、また最終処分場の寿命も短くしている。袋詰めした後に空気だけを押し出し減容化が出来ることにより費用の軽減や廃棄物処分場の寿命を延ばすことが出来るので、廃棄物処理の袋として好適である。
【図面の簡単な説明】
【００１８】
【図１】減容袋正面図
【図２】減容袋使用時の模式図
【図３】減容袋に取り付けてあるテープの符号４の接着部分を合わせてある接着面を符合３の耳の部分を引き、接着面の合わせを引き剥がし伸ばした模式図
【図４】空気を押し出し、容積が減り余っている袋の部分を折り曲げ、接着した模式図
【符号の説明】
【００１９】１  袋
２  袋に予め取り付けられているテープ部分
３  テープを引き剥がし易い様に、加工されたテープの耳部分
４  テープの接着部分を半分に折り、合わせてある引き剥がし接着部
【図１】
2008120448.tif 000003
【図２】
2008120448.tif 000004
【図３】
2008120448.tif 000005
【図４】
2008120448.tif 000006